(57)【特許請求の範囲】
【請求項１】
ボディー及び前記ボディーの中に設置された上下に貫通した固定空間を含み、前記固定空間の左側端壁の中には外部空間に連通した連通溝が形成され、前記固定空間の中には三個の固定台が中心対称に配置され、前記固定台が前記固定空間の中心へ移動することで本発明の設備を移植待ちの樹木の表面に固定でき、前記固定空間の片側端壁の中にはピストン空間が設置され、前記ピストン空間の中には前記固定台を前記固定空間の中心へ移動させることができる液圧装置が設置され、
前記ピストン空間の底壁の中には回転空間が設置され、前記回転空間の上下端壁の中には前記回転空間を貫通した弧状溝が形成され、前記ボディーの底壁の中に設置された弧状空間の底壁の中には弧状スライダが設置され、前記弧状スライダの中には切断シャベルがスライドできるように設置され、前記回転空間と前記回転空間の端壁の中には前記切断シャベルを連動させて地下に挿入することができる土すくい機構が設置され、
前記ボディーの右側端壁の中には切換空間が設置され、前記切換空間の左側端壁の中には伝動空間が設置され、前記伝動空間と前記切換空間との間には第一回転軸が回転できるように設置され、前記第一回転軸の右側の末端が前記ボディーの端壁外に伸び、且つ前記第一回転軸の右側の末端にはローラが固定的に設置され、前記ローラを駆動輪とする回転装置は前記ボディーを連動させて移植待ちの樹木をめぐるように回転させることができ、これにより前記切断シャベルを連動させて移植待ちの樹木をめぐるように回転させ、同時に前記ローラが回転する過程において前記切断シャベルを連動させて上下に移動させることができ、これにより前記切断シャベルが駆動されて土壌を切断し、前記切換空間の左側端壁の中に設置されたスライド空間の中には動力装置が設置され、前記動力装置が前記液圧装置と前記回転装置とを時分割に駆動でき、設備の構造を簡単にすることを特徴とする高生存率の樹木自動移設植備。
【請求項２】
前記固定空間の端壁の中には前記固定空間に連通した三つのスライド孔が中心対称に配置され、前記スライド孔のうち前記固定空間から離れた片側末端が前記ピストン空間に連通し、前記スライド孔の中には前記固定台と固定的に連結されたスライドロッドがスライドできるように設置され、前記スライドロッドと前記スライド孔の端壁との間には第一復帰装置が設置され、前記固定空間の端壁の中には凹溝が形成され、前記凹溝の中には回転できる回転輪が対称的に設置されていることを特徴とする請求項１に記載の高生存率の樹木自動移設植備。
【請求項３】
前記液圧装置は前記ピストン空間と前記切換空間との間に回転できるように設置されたネジ山スリーブを含み、前記ネジ山スリーブの中には左方に開口した第一ネジ山孔が設置され、前記第一ネジ山孔の中には第一スクリューがネジ山により連結され、前記第一スクリューが前記ピストン空間の中にスライドできるように設置されたピストンと固定的に連結され、前記切換空間の中の前記ネジ山スリーブの末端には第一ギヤが固定的に設置されていることを特徴とする請求項１に記載の高生存率の樹木自動移設植備。
【請求項４】
土すくい機構は前記回転空間の中に回転できるように設置された第二回転軸を含み、前記第二回転軸の外面にはウォームホイールと前記ウォームホイールの前後両側に位置している第二ギヤとが固定的に設置され、前記回転空間と前記回転空間の底壁の中に設置されたベルト空間の間には前記ウォームホイールと噛み合ったウォームが回転できるように設置され、前記ベルト空間の中の前記ウォームの末端には第一プーリが固定的に設置され、前記弧状溝の中には前記弧状スライダと固定的に連結された弧状ラックが前後対称的に設置され、前後二つの前記弧状ラックがそれぞれ前後二つの前記第二ギヤと噛み合い、前記弧状スライダの中にはガイドスライド溝が形成され、前記切断シャベルが前記ガイドスライド溝の中にスライドできるように設置され、前記切断シャベルと前記ガイドスライド溝の端壁との間には第二復帰装置が設置されていることを特徴とする請求項１に記載の高生存率の樹木自動移設植備。
【請求項５】
前記回転装置は前記切換空間の中にある前記第一回転軸の外面に固定的に設置された第三ギヤを含み、前記伝動空間の中にある前記第一回転軸の末端には第一ベベルギヤが固定的に設置されていることを特徴とする請求項１に記載の高生存率の樹木自動移設植備。
【請求項６】
前記伝動空間の底壁の中にはカム空間が設置され、前記カム空間と前記伝動空間との間には第三回転軸が回転できるように設置され、前記伝動空間の中にある前記第三回転軸の末端には前記第一ベベルギヤと噛み合った第二ベベルギヤが固定的に設置され、前記カム空間の中にある前記第三回転軸の末端にはカムが固定的に設置され、前記カム空間と前記弧状空間との間には連通孔が連通するように設置され、前記連通孔の中には付勢ロッドがスライドできるように設置され、前記付勢ロッドと前記連通孔の端壁との間には第三復帰装置が設置されていることを特徴とする請求項１に記載の高生存率の樹木自動移設植備。
【請求項７】
前記動力装置は前記スライド空間の中にスライドできるように設置されたスライダを含み、前記スライダの中には上下に貫通した第二ネジ山孔が設置され、前記第二ネジ山孔の中には第二スクリューがネジ山により連結され、前記第二スクリューの頂部末端は前記スライド空間の頂壁の中に固定的に設置された第一モータと伝動できるように連結され、前記第二スクリューの底部末端が前記ベルト空間の中に伸び、且つ前記第二スクリューの底部末端には第二プーリが固定的に設置され、前記第二プーリと前記第一プーリとがベルトによって伝動できるように連結され、前記スライダの右側端壁の中には第二モータが設置され、前記第二モータの出力軸の末端には前記第一ギヤと噛み合った第四ギヤが固定的に設置されていることを特徴とする請求項１に記載の高生存率の樹木自動移設植備。
【発明の詳細な説明】
【技術分野】
【０００１】
本発明は園林栽培分野を取り上げて、具体的には高生存率の樹木自動移植設備である。
【背景技術】
【０００２】
人々の生活水準の向上につれ、人々が周囲の環境に対する要求が段々と高まり、良い環境を作るには樹木に覆われる必要があり、しかし、従来の樹木の栽培方法の周期が長く、且つ樹木の生存率が低く、また、従来の樹木を移植する時、樹木の根系を損ない、樹木の根系の周りの土壌環境を維持させることができなく、そのため、上記の問題を解決するために、高生存率の樹木自動移植設備を設計する必要がある。
【先行技術文献】
【特許文献】
【０００３】
【特許文献１】中国特許出願公開第１０４３９６６９４号明細書
【発明の概要】
【発明が解決しようとする課題】
【０００４】
本発明は高生存率の樹木自動移植設備を提供し、従来技術における上記欠点を解消し、設備の実用性を向上させることを目的とする。
【課題を解決するための手段】
【０００５】
本発明は以下の技術プランを通じて実現する：本発明の高生存率の樹木自動移設植備は、ボディー及び前記ボディーの中に設置された上下に貫通した固定空間を含み、前記固定空間の左側端壁の中には外部空間に連通した連通溝が形成され、前記固定空間の中には三個の固定台が中心対称に配置され、前記固定台が前記固定空間の中心へ移動することで本発明の設備を移植待ちの樹木の表面に固定でき、前記固定空間の片側端壁の中にはピストン空間が設置され、前記ピストン空間の中には前記固定台を前記固定空間の中心へ移動させることができる液圧装置が設置され、
前記ピストン空間の底壁の中には回転空間が設置され、前記回転空間の上下端壁の中には前記回転空間を貫通した弧状溝が形成され、前記ボディーの底壁の中に設置された弧状空間の底壁の中には弧状スライダが設置され、前記弧状スライダの中には切断シャベルがスライドできるように設置され、前記回転空間と前記回転空間の端壁の中には前記切断シャベルを連動させて地下に挿入することができる土すくい機構が設置され、
前記ボディーの右側端壁の中には切換空間が設置され、前記切換空間の左側端壁の中には伝動空間が設置され、前記伝動空間と前記切換空間との間には第一回転軸が回転できるように設置され、前記第一回転軸の右側の末端が前記ボディーの端壁外に伸び、且つ前記第一回転軸の右側の末端にはローラが固定的に設置され、前記ローラを駆動輪とする回転装置は前記ボディーを連動させて移植待ちの樹木をめぐるように回転させることができ、これにより前記切断シャベルを連動させて移植待ちの樹木をめぐるように回転させ、同時に前記ローラが回転する過程において前記切断シャベルを連動させて上下に移動させることができ、これにより前記切断シャベルが駆動されて土壌を切断し、前記切換空間の左側端壁の中に設置されたスライド空間の中には動力装置が設置され、前記動力装置が前記液圧装置と前記回転装置とを時分割に駆動でき、設備の構造を簡単にする。
【０００６】
更に、前記固定空間の端壁の中には前記固定空間に連通した三つのスライド孔が中心対称に配置され、前記スライド孔のうち前記固定空間から離れた片側末端が前記ピストン空間に連通し、前記スライド孔の中には前記固定台と固定的に連結されたスライドロッドがスライドできるように設置され、前記スライドロッドと前記スライド孔の端壁との間には第一復帰装置が設置され、前記固定空間の端壁の中には凹溝が形成され、前記凹溝の中には回転できる回転輪が対称的に設置されている。
【０００７】
更に、前記液圧装置は前記ピストン空間と前記切換空間との間に回転できるように設置されたネジ山スリーブを含み、前記ネジ山スリーブの中には左方に開口した第一ネジ山孔が設置され、前記第一ネジ山孔の中には第一スクリューがネジ山により連結され、前記第一スクリューが前記ピストン空間の中にスライドできるように設置されたピストンと固定的に連結され、前記切換空間の中の前記ネジ山スリーブの末端には第一ギヤが固定的に設置されている。
【０００８】
更に、土すくい機構は前記回転空間の中に回転できるように設置された第二回転軸を含み、前記第二回転軸の外面にはウォームホイールと前記ウォームホイールの前後両側に位置している第二ギヤとが固定的に設置され、前記回転空間と前記回転空間の底壁の中に設置されたベルト空間の間には前記ウォームホイールと噛み合ったウォームが回転できるように設置され、前記ベルト空間の中の前記ウォームの末端には第一プーリが固定的に設置され、前記弧状溝の中には前記弧状スライダと固定的に連結された弧状ラックが前後対称的に設置され、前後二つの前記弧状ラックがそれぞれ前後二つの前記第二ギヤと噛み合い、前記弧状スライダの中にはガイドスライド溝が形成され、前記切断シャベルが前記ガイドスライド溝の中にスライドできるように設置され、前記切断シャベルと前記ガイドスライド溝の端壁との間には第二復帰装置が設置されている。
【０００９】
更に、前記回転装置は前記切換空間の中にある前記第一回転軸の外面に固定的に設置された第三ギヤを含み、前記伝動空間の中にある前記第一回転軸の末端には第一ベベルギヤが固定的に設置されている。
【００１０】
更に、前記伝動空間の底壁の中にはカム空間が設置され、前記カム空間と前記伝動空間との間には第三回転軸が回転できるように設置され、前記伝動空間の中にある前記第三回転軸の末端には前記第一ベベルギヤと噛み合った第二ベベルギヤが固定的に設置され、前記カム空間の中にある前記第三回転軸の末端にはカムが固定的に設置され、前記カム空間と前記弧状空間との間には連通孔が連通するように設置され、前記連通孔の中には付勢ロッドがスライドできるように設置され、前記付勢ロッドと前記連通孔の端壁との間には第三復帰装置が設置されている。
【００１１】
更に、前記動力装置は前記スライド空間の中にスライドできるように設置されたスライダを含み、前記スライダの中には上下に貫通した第二ネジ山孔が設置され、前記第二ネジ山孔の中には第二スクリューがネジ山により連結され、前記第二スクリューの頂部末端は前記スライド空間の頂壁の中に固定的に設置された第一モータと伝動できるように連結され、前記第二スクリューの底部末端が前記ベルト空間の中に伸び、且つ前記第二スクリューの底部末端には第二プーリが固定的に設置され、前記第二プーリと前記第一プーリとがベルトによって伝動できるように連結され、前記スライダの右側端壁の中には第二モータが設置され、前記第二モータの出力軸の末端には前記第一ギヤと噛み合った第四ギヤが固定的に設置されている。
【発明の効果】
【００１２】
本発明の有益効果は：本発明の提供した高生存率の樹木自動移設植備は、樹木の移植を実現でき、設備の体積が小さく、搬送が便利で、同時に設備の操作が簡単であり、設備で移植する時に樹木の根系とその周りの土壌とを同時に移植でき、樹木のもっと高い生存率を保証でき、また、設備の自動化の操作方式によって、移植効率を大いに上げ、生産と普及の価値がある。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の高生存率の樹木自動移設植備の全体構成模式図
【図２】図２は図１のＡ―Ａの構成模式図
【図３】図３は図１のＢの拡大構成模式図
【図４】図４は図１の切断シャベルの構成模式図
【図５】図５は図３のＣ―Ｃの構成模式図
【発明を実施するための形態】
【００１５】
図１〜５を参照し、本発明の高生存率の樹木自動移設植備は、ボディー１０及び前記ボディー１０の中に設置された上下に貫通した固定空間４２を含み、前記固定空間４２の左側端壁の中には外部空間に連通した連通溝４３が形成され、前記固定空間４２の中には三個の固定台１１が中心対称に配置され、前記固定台１１が前記固定空間４２の中心へ移動することで本発明の設備を移植待ちの樹木の表面に固定でき、前記固定空間４２の片側端壁の中にはピストン空間１５が設置され、前記ピストン空間１５の中には前記固定台１１を前記固定空間４２の中心へ移動させることができる液圧装置２００が設置され、
前記ピストン空間１５の底壁の中には回転空間５７が設置され、前記回転空間５７の上下端壁の中には前記回転空間５７を貫通した弧状溝４８が形成され、前記ボディー１０の底壁の中に設置された弧状空間５２の底壁の中には弧状スライダ４９が設置され、前記弧状スライダ４９の中には切断シャベル５３がスライドできるように設置され、前記回転空間５７と前記回転空間５７の端壁の中には前記切断シャベル５３を連動させて地下に挿入することができる土すくい機構３００が設置され、
前記ボディー１０の右側端壁の中には切換空間１９が設置され、前記切換空間１９の左側端壁の中には伝動空間４１が設置され、前記伝動空間４１と前記切換空間１９との間には第一回転軸２９が回転できるように設置され、前記第一回転軸２９の右側の末端が前記ボディー１０の端壁外に伸び、且つ前記第一回転軸２９の右側の末端にはローラ３１が固定的に設置され、前記ローラ３１を駆動輪とする回転装置４００は前記ボディー１０を連動させて移植待ちの樹木をめぐるように回転させることができ、これにより前記切断シャベル５３を連動させて移植待ちの樹木をめぐるように回転させ、同時に前記ローラ３１が回転する過程において前記切断シャベル５３を連動させて上下に移動させることができ、これにより前記切断シャベル５３が駆動されて土壌を切断し、前記切換空間１９の左側端壁の中に設置されたスライド空間２８の中には動力装置５００が設置され、前記動力装置５００が前記液圧装置２００と前記回転装置４００とを時分割に駆動でき、設備の構造を簡単にする。
【００１６】
有益的には、前記固定空間４２の端壁の中には前記固定空間４２に連通した三つのスライド孔１２が中心対称に配置され、前記スライド孔１２のうち前記固定空間４２から離れた片側末端が前記ピストン空間１５に連通し、前記スライド孔１２の中には前記固定台１１と固定的に連結されたスライドロッド１３がスライドできるように設置され、前記スライドロッド１３と前記スライド孔１２の端壁との間には第一復帰装置１４が設置され、前記固定空間４２の端壁の中には凹溝４５が形成され、前記凹溝４５の中には回転できる回転輪４４が対称的に設置されている。
【００１７】
有益的には、前記液圧装置２００は前記ピストン空間１５と前記切換空間１９との間に回転できるように設置されたネジ山スリーブ１７を含み、前記ネジ山スリーブ１７の中には左方に開口した第一ネジ山孔２０が設置され、前記第一ネジ山孔２０の中には第一スクリュー１８がネジ山により連結され、前記第一スクリュー１８が前記ピストン空間１５の中にスライドできるように設置されたピストン１６と固定的に連結され、前記切換空間１９の中の前記ネジ山スリーブ１７の末端には第一ギヤ２１が固定的に設置されている。
【００１８】
有益的には、土すくい機構３００は前記回転空間５７の中に回転できるように設置された第二回転軸６０を含み、前記第二回転軸６０の外面にはウォームホイール５９と前記ウォームホイール５９の前後両側に位置している第二ギヤ４７とが固定的に設置され、前記回転空間５７と前記回転空間５７の底壁の中に設置されたベルト空間５６の間には前記ウォームホイール５９と噛み合ったウォーム５８が回転できるように設置され、前記ベルト空間５６の中の前記ウォーム５８の末端には第一プーリ５４が固定的に設置され、前記弧状溝４８の中には前記弧状スライダ４９と固定的に連結された弧状ラック６１が前後対称的に設置され、前後二つの前記弧状ラック６１がそれぞれ前後二つの前記第二ギヤ４７と噛み合い、前記弧状スライダ４９の中にはガイドスライド溝５１が形成され、前記切断シャベル５３が前記ガイドスライド溝５１の中にスライドできるように設置され、前記切断シャベル５３と前記ガイドスライド溝５１の端壁との間には第二復帰装置５０が設置されている。
【００１９】
有益的には、前記回転装置４００は前記切換空間１９の中にある前記第一回転軸２９の外面に固定的に設置された第三ギヤ３０を含み、前記伝動空間４１の中にある前記第一回転軸２９の末端には第一ベベルギヤ３３が固定的に設置されている。
【００２０】
有益的には、前記伝動空間４１の底壁の中にはカム空間３５が設置され、前記カム空間３５と前記伝動空間４１との間には第三回転軸３７が回転できるように設置され、前記伝動空間４１の中にある前記第三回転軸３７の末端には前記第一ベベルギヤ３３と噛み合った第二ベベルギヤ３４が固定的に設置され、前記カム空間３５の中にある前記第三回転軸３７の末端にはカム３６が固定的に設置され、前記カム空間３５と前記弧状空間５２との間には連通孔４０が連通するように設置され、前記連通孔４０の中には付勢ロッド３９がスライドできるように設置され、前記付勢ロッド３９と前記連通孔４０の端壁との間には第三復帰装置３８が設置されている。
【００２１】
有益的には、前記動力装置５００は前記スライド空間２８の中にスライドできるように設置されたスライダ２６を含み、前記スライダ２６の中には上下に貫通した第二ネジ山孔２４が設置され、前記第二ネジ山孔２４の中には第二スクリュー２７がネジ山により連結され、前記第二スクリュー２７の頂部末端は前記スライド空間２８の頂壁の中に固定的に設置された第一モータ２２と伝動できるように連結され、前記第二スクリュー２７の底部末端が前記ベルト空間５６の中に伸び、且つ前記第二スクリュー２７の底部末端には第二プーリ３２が固定的に設置され、前記第二プーリ３２と前記第一プーリ５４とがベルト５５によって伝動できるように連結され、前記スライダ２６の右側端壁の中には第二モータ２５が設置され、前記第二モータ２５の出力軸の末端には前記第一ギヤ２１と噛み合った第四ギヤ２３が固定的に設置されている。
【００２２】
本実施例の前記固定連結方法はボルト固定や溶接などの方法を含むが、これらに限定されない。
【００２３】
装置全体の作動手順は以下の通りである。
【００２４】
１、 本発明の装置を移植待ちの樹木の片側に吊り上げ、この時に樹木の幹が前記固定空間４２の中の三個の固定台１１の間に位置し、この時に前記第二モータ２５を始動し、前記第二モータ２５が前記第四ギヤ２３を回転連動させ、これにより前記第三ギヤ２１を回転連動させ、更に前記ネジ山スリーブ１７を回転連動させ、これにより前記第一スクリュー１８が駆動されて前記ピストン１６を押し動かし、前記ピストン１６が前記ピストン空間１５の中の作動油を圧迫することで前記スライドロッド１３を圧迫し、前記スライドロッド１３が前記固定台１１を移動連動させ、これにより設備を幹の円周壁に固定する。
【００２５】
２、 この時に前記第一モータ２２を始動して回転させ、これにより前記第二スクリュー２７を回転連動させ、前記第二スクリュー２７が回転して前記第二プーリ３２を回転連動させ、これにより前記第一プーリ５４を回転連動させ、更に前記ウォーム５８を回転連動させ、更に前記ウォームホイール５９を回転連動させ、更に前記第二ギヤ４７を回転連動させ、更に前記弧状ラック６１を移動連動させ、更に前記弧状スライダ４９を移動連動させ、これにより前記切断シャベル５３を連動させて下方へ移動させて土地の中に挿入する。
【００２６】
３、 同時に前記第二スクリュー２７が回転して前記スライダ２６を下方へ移動連動させ、これにより前記第四ギヤ２３を下方へ移動連動させて前記第三ギヤ３０と噛み合わせ、これにより前記第二モータ２５を回転連動させて前記第四ギヤ２３を回転連動させ、更に前記第三ギヤ３０を回転連動させ、更に前記ローラ３１を回転連動させ、これにより前記ボディー１０を連動させて幹をめぐるように回転させ、この時に前記切断シャベル５３が下方へ移動して土地の中に挿入され、この時に前記ボディー１０が前記切断シャベル５３を回転連動させ、同時に、前記第三ギヤ３０が回転して前記第一ベベルギヤ３３を回転連動させ、これにより前記第二ベベルギヤ３４を回転連動させ、更に前記カム３６を回転連動させ、前記カム３６が回転して前記付勢ロッド３９を押し、前記付勢ロッド３９が左方へ移動して前記切断シャベル５３を押して移動させ、前記カム３６の回転につれ、前記切断シャベル５３が上下に移動しながら幹をめぐって回転し、これにより樹木の根系の土壌を半球状にさせるように切断し、この時に設備を取り出し、吊り上げ設備を利用して幹を吊り上げ、あらためて樹木を植える。
【００２７】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】      （修正有）【課題】樹木の移植を実現でき、設備の体積が小さく、搬送が便利で、同時に設備の操作が簡単であり、移植する時に樹木の根系とその周りの土壌とを同時に移植でき、樹木のもっと高い生存率を保証でき、また、設備の自動化の操作方式によって、移植効率を大いに上げる樹木自動移植設備を提供する。【解決手段】ボディー１０及びボディー１０の中に設置された上下に貫通した固定空間を含み、固定空間の左側端壁の中には外部空間に連通した連通溝が形成され、固定空間の中には三個の固定台１１が中心対称に配置され、固定台１１が固定空間の中心へ移動することで移植待ちの樹木の表面に固定できる樹木自動移植設備。【選択図】図１【図１】
0006748835.tif 000002
【図２】
0006748835.tif 000003
【図３】
0006748835.tif 000004
【図４】
0006748835.tif 000005
【図５】
0006748835.tif 000006